(57)【特許請求の範囲】
【請求項１】
自動運転プロセスが実行され、
自動車（１）の自動減速に第１のブレーキ装置（５）が使用され、
前記自動運転プロセス中は、前記自動車（１）の少なくとも１つの運転パラメータが検知され、
前記少なくとも１つの運転パラメータが所定の検証基準を満たしているかどうかが検証され、
前記自動車（１）は、前記少なくとも１つの運転パラメータが前記検証基準を満たしていない場合には、第２のブレーキ装置（７）によって自動で減速され、
前記第２のブレーキ装置（７）の制御の後に、前記第１のブレーキ装置（５）も制御される
自動車（１）の運転方法。
【請求項２】
前記少なくとも１つの運転パラメータが、前記自動車（１）の速度、前記自動車（１）の加速度及び前記自動車（１）のヨーレートから成る群から選択される
ことを特徴とする請求項１記載の方法。
【請求項３】
前記検証基準として、
ａ）前記自動車（１）の減速度が、前記第１のブレーキ装置（５）に対する目標設定値に対応するかどうか、及び／又は、
ｂ）前記自動車（１）の速度が、前記第１のブレーキ装置（５）に対する目標設定値に対応するかどうか、及び／又は、
ｃ）前記自動車（１）の速度が、前記自動運転プロセスの所定の限界速度より小さいかどうかが使用される
ことを特徴とする、請求項１または２記載の方法。
【請求項４】
前記検証基準は、前記第１のブレーキ装置（５）が前記自動車（１）の減速のために制御されている場合に限り適用される
ことを特徴とする、請求項１乃至３のいずれか１項記載の方法。
【請求項５】
前記検証基準は、前記第１のブレーキ装置（５）の状態とは無関係に適用される
ことを特徴とする、請求項１乃至４のいずれか１項記載の方法。
【請求項６】
前記第１のブレーキ装置（５）は、故障についてモニタリングされ、前記第１のブレーキ装置（５）の故障が検知された場合には、前記第２のブレーキ装置（７）が制御される
ことを特徴とする、請求項１乃至５のいずれか１項記載の方法。
【請求項７】
請求項１乃至６のいずれか１項記載の方法の実施のために設けられるブレーキシステム（３）の制御装置（９）。
【請求項８】
請求項７記載の制御装置（９）を含む、自動車（１）のブレーキシステム（３）。
【請求項９】
前記第２のブレーキ装置（７）は、自動パーキングブレーキ装置として形成される
ことを特徴とする請求項８記載のブレーキシステム（３）。
【発明の詳細な説明】
【技術分野】
【０００１】
本発明は、自動車の運転方法、自動車のブレーキシステムの制御装置及び自動車のブレーキシステムに関する。
【背景技術】
【０００２】
自動車の運転との関連で、自動運転プロセスにはますます注目が集まっており、特に、ドライバが必ずしも自動車の車内にいる必要のない入庫及び／又は出庫プロセスが議論される。この場合、自動車が、常時、つまり故障の発生時にも、自立的に安全な状態に到達することができることが確保される必要がある。ここで、自動運転プロセスにおいて、安全な状態とは常に停止状態と定義される。この停止状態は、好ましくは、自動液圧ブレーキ増圧、たとえば電子式ブレーキ力配分システム、或いは、電気式又は電子式ブレーキ倍力装置、それゆえ、自動車のサービスブレーキを介して達成される。かかるサービスブレーキシステムは、以下においてサービスブレーキアクチュエータとも呼ばれ、自動車の第１のブレーキ装置となる。サービスブレーキアクチュエータが、故障が原因で、ブレーキ圧を増圧することで、自動車を停止状態まで減速させることができない場合には、特に第２の、ドライバから自立したブレーキアクチュエータの形のフォールバックレベルが提供される必要がある。
【０００３】
ここで、通常、フォールバックレベルが、実際に第１のブレーキ装置の部品故障が検知された場合に限りアクティブ化されるよう措置される。これは、特に、フォールバックレベルがアクティブ化されるのに先立って、第１のブレーキ装置が劣化し、すなわち故障の存在をアクティブに検知し、上位の制御装置に通知する必要があることを意味する。しかし、これは、そもそも十分な安全性をもって実行できる場合には、自動車がブレーキをかけずに引き続き移動し、他の道路利用者を危険にさらす可能性のある一定の時間を必要とする。
【０００４】
危険性があるとして、液圧ブレーキ増圧を妨害する全ての故障が検知される。さらに、特に、上り勾配又は下り勾配にある場合のように、周囲条件が自動車をさらに加速する場合には、長い故障検知時間は危険である。
【発明の概要】
【発明が解決しようとする課題】
【０００５】
本発明の課題は、上記の不都合が発生しない、自動車の運転方法、自動車のブレーキシステムの制御装置、及び、かかる自動車のブレーキシステムを創出することにある。特に、自動運転プロセスにおける自動車運転の安全性が向上する必要がある。
【課題を解決するための手段】
【０００６】
上記の課題は、独立請求項の主題が創出されることで解決される。有利な実施形態は、従属請求項から得られる。
【０００７】
特に、上記の課題は、自動運転プロセスが実行され、自動車の自動減速に第１のブレーキ装置が使用される、自動車の運転方法が創出されることで解決される。自動運転プロセス中は、自動車の少なくとも１つの運転パラメータが検知される。少なくとも１つの運転パラメータが所定の検証基準を満たしているかどうかが検証される。自動車は、少なくとも１つの運転パラメータが検証基準を満たしていない場合には、第２のブレーキ装置によって自動で減速される。したがって、間接的に、運転パラメータ又は検証基準を用いて、第１のブレーキ装置の故障を、従来比でより早く検知することができることから、従来比でより早くフォールバックレベルへの切り換えが行われ、第２のブレーキ装置がアクティブ化できる。このアプローチは、第１のブレーキ装置が自立的に故障を検知する、これを通知する、及び／又は劣化することとは無関係である、自動運転プロセス中の車両状態の上位でのモニタリングを可能にする。第２のブレーキ装置の従来比でのより早いアクティブ化によって、自動車の最大可能停止距離が短くなる。
【０００８】
本願において、特に、自動運転プロセスは、自動車が自立的に、すなわち、ドライバの介入なしに走行する、自動車の走行モードの意味で理解される。好ましくは、自動運転プロセスは、ドライバが自動車車内にいないプロセスである。好ましくは、自動運転プロセスは、自動入庫又は出庫プロセスである。
【０００９】
特に、自動車の運転パラメータは、自動車の瞬間的な走行状態の特徴を示すパラメータの意味で理解される。特に、運転パラメータは、第１のブレーキ装置の状態ではなく、特に、検知された故障のケース及び／又はこれに対応する通知ではない。むしろ、これに基づいて、第１のブレーキ装置の状態、特に、故障のない又は故障時の動作が推論できる自動車の状態を説明する、上位のパラメータに当たる。
【００１０】
特に、第２のブレーキ装置は、第１のブレーキ装置とは相違する。これは、第１のブレーキ装置及び第２のブレーキ装置が互いに全く別個のもので、したがって全ての部分において異なることを必ずしも意味しない。むしろ、第２のブレーキ装置及び第１のブレーキ装置が同一の部品、たとえば車輪ブレーキ、又は少なくとも一部が同一の液圧ブレーキ回路の一部をなすことも可能である。重要な点は、第２のブレーキ装置及び第１のブレーキ装置が、独立したブレーキ増圧及び／又は独立したブレーキの開始を可能にすることで、実際に、第２のブレーキ装置が、第１のブレーキ装置が故障した場合のフォールバックレベルとなるという意味で互いに独立していることである。
【００１１】
好ましくは、第１のブレーキ装置は、特に液圧ブレーキ圧の生成装置、たとえば電気式及び／若しくは電子式のブレーキ倍力装置並びに／又は電子式の制動力配分システムを備えることができる自動車のサービスブレーキである。
【００１２】
好ましくは、少なくとも１つの運転パラメータが検証基準を満たしていない場合には、自動車は、第２のブレーキ装置によって停止状態まで減速される。これは、自動車が確定的に安全な状態に移行されるという利点を有する。
【００１３】
好ましい実施形態によれば、自動車が停止状態で安全を確保されることで、少なくともドライバの介入がなければ、自動車がこれ以上移動できないように措置される。
【００１４】
特に好ましくは、その後、安全な、かつ、好ましくは、安全を確保された状態で、ドライバへの引継ぎが行われる。したがって、自動運転プロセスは中断される。ここで、通常、車両が、長時間駐車できる終了位置にはまだ到達していないことが前提とされる。それゆえ、車両がドライバに確定的に引継がれることで、このドライバが車両を終了位置に移動させることができることは意味を持つ。
【００１５】
本発明の変更形態に従って、少なくとも１つの運転パラメータが、自動車の瞬間速度、瞬間加速度及び瞬間ヨーレートから成る群から選択されるよう措置される。ここで、加速度は、正及び負の加速度の意味にも、特に減速度の意味にも理解される。かかる運転パラメータのうち少なくとも１つを用いて、自動運転プロセス中の自動車の状態をモニタリングし、特に、第１のブレーキ装置が所期のとおりに動作しているか容易に検証することができる。
【００１６】
好ましくは、自動車の瞬間速度及び／又は瞬間加速度の検知のために、自動車の少なくとも１つの車輪において、回転数センサが使用される。特に、冗長を達成するために、自動車の各車輪に回転数センサが割り当てられ、少なくとも１つの運転パラメータを検知するために、好ましくは全ての回転数センサが利用される。
【００１７】
特に、有利には、自動入庫又は出庫プロセスにおいて、瞬間速度及び／又は瞬間加速度が、運転パラメータとして使用できるが、これは、ここでは、自動車が小さい速度及び加速度しか有していないからである。
【００１８】
本発明の変更形態に従って、検証基準として、自動車の瞬間減速度が、第１のブレーキ装置に対する瞬間目標設定値に対応するかどうかが使用されるよう措置される。したがって、ここでは特に減速度の意味の瞬間加速度が観察され、かかる瞬間加速度が、第１のブレーキ装置が瞬間目標設定値に従って正しく動作している場合に得られる、特に所定の公差の範囲内となる瞬間加速度について予測される数値に対応するかどうかが検証される。したがって、一方では、目標制動トルク、液圧ブレーキ回路の目標体積流量の設定値、液圧ブレーキ回路の目標ブレーキ圧として、又はその他の形で設定できる瞬間目標設定値の形で、第１のブレーキ装置に対するリクエストが実行される。第１のブレーキ装置の瞬間目標設定値から、減速度の目標値が計算でき、この減速度の目標値は、今度は、この値が実際に検知される瞬間加速度に、特に所定の公差の範囲内で一致しているかどうかという点で検証される。この条件が成り立つ場合には、第１のブレーキ装置が故障なしで機能していることを前提としてよい。この条件が成り立たない場合には、第１のブレーキ装置がかかる状況そのものを検知しておらず、これに対応して劣化する事態になっていないとしても、明らかに第１のブレーキ装置は機能していない。ここで、すぐに、自動車を減速させるために、第２のブレーキ装置を利用することができる。
【００１９】
追加的又は代替的に、好ましくは、検証基準として、自動車の瞬間速度が第１のブレーキ装置に対する瞬間目標設定値に対応するかどうかが使用される。瞬間加速度の代わりに、瞬間速度も利用できるが、これは、かかる瞬間速度も、特に、以前の時点の既知の速度、及び、第１のブレーキ装置に対する瞬間目標設定値、又は、時間の経過で見た、一連の過去のかかる目標設定値に基づいて予測できるからである。好ましくは、自動車の速度が、第１のブレーキ装置に対する目標設定値に基づいて、予想される変化に従って減少するかどうかが検証される。この条件が成り立たない場合には、第１のブレーキ装置の故障を前提としてよい。
【００２０】
追加的又は代替的に、好ましくは、検証基準として、自動車の瞬間速度が、自動運転プロセスの所定の限界速度より小さいかどうかが使用されるよう措置される。好ましくは、かかる限界速度は、実際に存在する自動運転プロセスについて確定される。ここで、特に自動入庫又は出庫プロセスのために、たとえば最低２ｋｍ／ｈから最高７ｋｍ／ｈに達することがある、所定の上限の速度閾値が設定される。これは、かかる自動運転プロセスが制御可能である範囲の速度である。自動車の制御は、自動運転プロセスにおいて、特に第１のブレーキ装置の制御によって、上限の速度閾値を上回ることのないよう配慮する。
【００２１】
好ましくは、限界速度は、発生する可能性のある行過ぎ量を考慮に入れることで、本願で説明する機能のロバスト性を高めるために、自動運転プロセスの上限の速度閾値より高くなるように、たとえば９ｋｍ／ｈとなるよう選択される。この限りにおいて、自動運転プロセス中に正常に動作する第１のブレーキ装置の場合に、限界速度が達成されないことも確保される。この速度が達成されるかこれを上回った場合には、第１のブレーキ装置の故障を前提としてよい。ここで、ドライバへの引継ぎが行われる必要がある。しかし、まず自動車は停止状態まで減速され、安全が確保される必要があるが、これは、ドライバが、好ましくは自動車の車外に位置しているからである。
【００２２】
本発明の変更形態に従って、検証基準が、第１のブレーキ装置が自動車の減速のために制御されている場合に限り適用されるよう措置される。検証基準が適用されることは、特に、対応する検証が実行されることを意味する。本願に示した実施形態は、特に、少なくとも１つの運転パラメータが、第１のブレーキ装置に対する瞬間目標設定値との関連で検証される場合に意味を持つ。この場合、第１のブレーキ装置の故障は、第１のブレーキ装置が、実際に自動車の減速のためにも制御されている場合に限り、確実に確定できる。
【００２３】
追加的又は代替的に、好ましくは、検証基準が、第１のブレーキ装置の状態とは無関係に、特に第１のブレーキ装置の制御とは無関係に適用されるよう措置される。これは特に、自動車の瞬間速度が、所定の限界速度と比較される場合に、可能となり意味を持つ。すなわち、第１のブレーキ装置が瞬間的に制御されているか否かとは無関係に、この限界速度を上回ることは認められない。それゆえ、いずれにしても、この限界速度を上回った場合には、自動車を減速することが重要となる。
【００２４】
もちろん、以上示した方法の形態は、互いに組み合わせることもできる。ここで、自動運転プロセスのいかなる運転状況においても、第１のブレーキ装置が機能しているかどうか、及び、自動車の瞬間速度が、所定の限界速度を下回るレベルにとどまっているかどうかを確実かつ迅速に検証することが可能となる。
【００２５】
本発明の変更形態に従って、第１のブレーキ装置が故障についてモニタリングされ、第１のブレーキ装置の故障が検知された場合には、第２のブレーキ装置が制御されるよう措置される。好ましくは、第１のブレーキ装置のモニタリングは、長時間、特に連続的又は周期的に行われる。好ましくは、第１のブレーキ装置のモニタリングは、以上説明した措置に追加して行われる。こうして、第１のブレーキ装置の故障がこの第１のブレーキ装置そのものによって検知できることから、必要があれば、第１のブレーキ装置はさらに劣化することもできる。したがって、第１のブレーキ装置の故障が検知されると、好ましくはこの第１のブレーキ装置は劣化し、次いで第２のブレーキ装置が制御される。
【００２６】
本発明の変更形態に従って、第２のブレーキ装置の制御の後に、第１のブレーキ装置も制御されるよう措置される。これは、特に、たとえば、第１のブレーキ装置は液圧式で動作する一方、第２のブレーキ装置が電動機で動作することが理由で、第２のブレーキ装置が第１のブレーキ装置より大幅に低い動的特性を有する場合に意味を持つ。
【００２７】
好ましくは、第２のブレーキ装置によって、自動車が停止状態まで減速された時に、自動車の安全が確保されるよう措置される。ここで、特に、第２のブレーキ装置が、特にこの第２のブレーキ装置が自動パーキングブレーキとして形成された場合に、ロックされることが可能となる。追加的又は代替的に、伝動爪が挿入されるか、又は他の好適な方法で、自動車の自立的な転動が防止されることが可能となる。これが、自動車の安全確保及び安全なドライバへの引継ぎを可能にする。
【００２８】
好ましくは、第２のブレーキ装置によって、自動車が停止状態まで減速された時に、かつ、好ましくは、停止状態で自動車の安全が確保された後に、ドライバへの引継ぎが行われるよう措置される。ドライバへの引継ぎは、自動車が、おそらく第２のブレーキ装置による停止状態までの減速の後、まさに発生した故障が理由で、所定の終了位置まで到達せず、確定しない形で任意の場所に停止し、場合によって交通の妨げとなるため意味を持つ。
【００２９】
最後に、本発明の課題は、以上説明した方法の実施形態のいずれかの実行のために設けられたブレーキシステムの制御装置が創出されることでも解決される。ここで、制御装置との関連で、特に、以上において方法との関連で説明された利点が実現する。
【００３０】
制御装置が、自動車の制御装置として形成されることが可能である。
【００３１】
最後に、本発明の課題は、第１のブレーキ装置及び第２のブレーキ装置を備え、さらに、以上説明した実施形態のいずれかに記載の制御装置を備える自動車のブレーキシステムが創出されることでも解決される。こうして、ブレーキシステムとの関連で、以上において方法及び制御装置との関連で説明された利点が実現する。
【００３２】
好ましくは、ブレーキシステムは、自動車のブレーキシステムである。特に、ブレーキシステムの制御装置は、自動車の制御装置であるとすることができる。
【００３３】
本発明の変更形態に従って、第２のブレーキ装置は自動パーキングブレーキ装置（ＡＰＢ）として形成される。好ましくは、かかる自動パーキングブレーキ装置は、電動機でアクティブ化され、それゆえ、第１のブレーキ装置の液圧ブレーキ圧から独立している。こうして、自動パーキングブレーキ装置は、特に、第１のブレーキ装置のフォールバックレベルとして好適である。一方、電動機によるアクティブ化が理由で、自動パーキングブレーキ装置は、第１のブレーキ装置に比べて明らかに低い動的挙動を有することから、自動パーキングブレーキ装置の制御の後は、これに加えて第１のブレーキ装置もアクティブ化しようとすることが意味を持ちうる。
【００３４】
最後に、本発明には、以上説明した実施形態のいずれかに記載のブレーキシステムを備える自動車も含まれる。ここで、自動車との関連で、以上において、方法、制御装置及びブレーキシステムとの関連で説明された利点が得られる。
【００３５】
以下において、本発明は、図面を用いてより詳細に説明される。ここで、図面は、それぞれ以下を示す。
【図面の簡単な説明】
【００３６】
【図１】ブレーキシステムを備える自動車の実施形態の模式図である。
【図２】フローチャートの形とした、自動車の運転方法の第１の実施形態の模式図である。
【図３】フローチャートの形とした、方法の第２の実施形態の模式図である。
【発明を実施するための形態】
【００３７】
図１は、ブレーキシステム３を備える自動車１の実施形態の模式図を示し、自動車１は、自動運転プロセスの実行のために設けられる。ブレーキシステム３は、自動車１のサービスブレーキとして形成される第１のブレーキ装置５を備え、第１のブレーキ装置５は、ドライバから独立して液圧ブレーキ圧を増圧させることができるように設計されている。これは、特に、電気式若しくは電子式のブレーキ倍力装置、自立型のブレーキ増圧が可能な電子式の制動力配分システム（横滑り防止装置−ＥＳＰ）、又はその他の目的に適したシステムとすることができる。
【００３８】
ブレーキシステム３は、好ましくは自動パーキングブレーキ装置、特に電動機によってアクティブ化される自動パーキングブレーキ装置として形成される、第２のブレーキ装置７を備える。
【００３９】
ブレーキシステム３の制御のために設けられる制御装置９が設けられる。好ましくは、制御装置９は、自動運転プロセスの実行のためにも設けられる。特に好ましくは、制御装置は、自動車１の中央制御装置として形成される。
【００４０】
特に、制御装置９は、以上及び以下に記載の実施形態の目的で、自動運転プロセスとの関連での、自動車１の運転方法の実行のために設けられる。
【００４１】
ここで、特に、制御装置９は、自動車１の少なくとも１つの運転パラメータ、特に瞬間速度、瞬間加速度及び／又は瞬間ヨーレートを検知するために設けられる。好ましくは、運転パラメータの検知のために、少なくとも１つのセンサ１１が設けられ、本明細書では、２つのセンサ１１が、自動車１の車輪１３に取り付けた回転数センサとして模式的に図示されている。これらのセンサは、特に、自動車１の速度及び／又は加速度を検知するのに適している。
【００４２】
自動運転プロセス中には、自動車１の減速のために、第１のブレーキ装置５が使用され、自動運転プロセス中には、自動車１の少なくとも１つの運転パラメータが検知される。かかる運転パラメータが所定の検証基準を満たしているかどうかが検証され、少なくとも１つの運転パラメータが検証基準を満たしていない場合には、第２のブレーキ装置７によって自動車１が減速される。
【００４３】
図２は、自動車１の運転方法の第１の実施形態の模式図を示す。この方法は、第１のステップＳ１でスタートする。第２のステップＳ２では、第１のブレーキ装置５の故障が存在するかどうか、特に、第１のブレーキ装置が劣化しているかどうかが検証される。この条件が成り立つ場合には、第３のステップＳ３において、第２のブレーキ装置７が自動車１の減速のために使用される。
【００４４】
これに反して、故障が存在しない場合には、この方法は、第４のステップＳ４に続き、ここで、少なくとも１つの運転パラメータによって表される自動車１の車両状態が、目標値に対応しているかどうかが検証される。特に、好ましくは、ここでは、自動車の瞬間速度が、目標値に対応しているかどうかが検証される。この条件が成り立つ場合には、この方法は、第２のステップＳ２に続き、この限りにおいて、ループを回る。
【００４５】
これに反して、第４のステップＳ４において、車両状態が、目標値に対応していないことが確認された場合には、第５のステップＳ５において、自動車１の速度が高すぎるかどうかが検証される。この条件が成り立たない場合には、これは、自動車１の瞬間的な車両状態が、確かに目標値に対応していないことから、自動車１の速度が低すぎることを意味する。この場合には、第６のステップＳ６において、自動車の加速が実行され、その後この方法は、再度第２のステップＳ２に続く。
【００４６】
これに反して、第５のステップＳ５において、自動車の速度が高すぎることが確認された場合には、第７のステップＳ７において、自動車１を減速させるために、第１のブレーキ装置５が制御される。今度は、第８のステップＳ８において、自動車１の瞬間減速度及び／又は瞬間速度が、第１のブレーキ装置５に対する瞬間目標設定値に対応するかどうかが検証される。この条件が成り立つ場合には、第１のブレーキ装置５が所期の用途に従って動作していると推論され、この方法は第２のステップＳ２に続く。これに反して、この条件が成り立たない場合には、たとえばポンプの故障、マイクロコントローラの故障又は配線系統の故障を原因とすることができる第１のブレーキ装置５の故障と推論することができる。この場合には、この方法は、第８のステップＳ８から、第３のステップＳ３に続き、自動車１は、第２のブレーキ装置７によって減速される。
【００４７】
図２に記載の方法の第１の実施形態に従い、好ましくは、検証基準は、第１のブレーキ装置５が自動車１の減速のために使用されている場合に限り適用される。もっぱらこの方法で、特に、少なくとも１つの運転パラメータが、第１のブレーキ装置５に対する瞬間目標設定値から得られる予想値に対応しないことが確認できる。
【００４８】
図３は、フローチャートの形で方法の第２の実施形態の模式図を示す。ここで、この方法は、第１のステップＳ１０１でスタートする。第２のステップＳ１０２では、自動車１の瞬間速度が、運転パラメータとして測定され、第３のステップＳ１０３では、この瞬間速度が、自動運転プロセスの所定の限界速度以上であるかどうかが検証される。この条件が成り立たない場合には、この方法は第２のステップＳ１０２に続き、この限りにおいて、ループを回る。
【００４９】
これに反して、第３のステップＳ１０３において、自動車１の瞬間速度が、実際に限界速度以上であることが確認された場合には、第４のステップＳ１０４では、第２のブレーキ装置７が自動車１の減速のために制御される。この背景には、第１のブレーキ装置５が機能しない場合に限り、自動車１の瞬間速度が所定の限界速度以上になるという発想があるが、これは、この条件に当てはまらない場合には、第１のブレーキ装置が、自動車１を減速させるのに適切なタイミングでアクティブ化されることで、所定の限界速度が達成されるか又はこれを上回ることはなかったはずであるからである。
【００５０】
好ましくは、第４のステップＳ１０４での第２のブレーキ装置７の制御の後、選択的な第５のステップＳ１０５において、第１のブレーキ装置５も制御される。これは、第１のブレーキ装置５が依然として機能している又は再度機能するようになった場合には、第２のブレーキ装置７より大きな原動力を有することから意味を持つ。
【００５１】
第６のステップＳ１０６において、自動車１が停止状態を達成したかどうかが検証される。この条件が成り立たない場合には、この方法は、自動車１が停止状態を達成するまで第６のステップＳ１０６を繰り返すことで継続される。その後、第７のステップＳ１０７において、たとえば自動パーキングブレーキ装置として形成された第２のブレーキ装置７の作動若しくはロックによって、及び／又は、伝動爪の挿入によって、自動車１の安全確保が行われる。次いで、好ましくは、ドライバへの引継ぎが行われる。
【００５２】
図３に示した方法の第２の実施形態との関連で、好ましくは、検証基準の評価は、第１のブレーキ装置５の状態とは無関係に、それゆえ、特に、第１のブレーキ装置５が制御されていたかどうかとは無関係に行われる。すなわち、いかなる場合にも、限界速度は、達成されるか又はこれを上回ることはできない。
【００５３】
追加的に、本願に示した方法の２つの実施形態において、第１のブレーキ装置５は故障についてモニタリングされ、第１のブレーキ装置５の故障が検知された場合には、第２のブレーキ装置７が制御される。これは、特に、第１のブレーキ装置５が機能しておらず、制御装置９に対して劣化していることをそれ自体で確認した場合に該当する。
【００５４】
全体として、本願で提案した方法、制御装置９及びブレーキシステム３を用いて、自動車１の自動運転プロセスの高い安全性が確保できる。
【符号の説明】
【００５５】
１  自動車
３  ブレーキシステム
５  第１のブレーキ装置
７  第２のブレーキ装置
９  制御装置
１１  センサ
Ｓ１  第１のステップ
Ｓ２  第２のステップ
Ｓ３  第３のステップ
Ｓ４  第４のステップ
Ｓ５  第５のステップ
Ｓ６  第６のステップ
Ｓ７  第７のステップ
Ｓ８  第８のステップ
Ｓ１０１  第１のステップ
Ｓ１０２  第２のステップ
Ｓ１０３  第３のステップ
Ｓ１０４  第４のステップ
Ｓ１０５  第５のステップ
Ｓ１０６  第６のステップ
Ｓ１０７  第７のステップ
【図１】
0006669869.tif 000002
【図２】
0006669869.tif 000003
【図３】
0006669869.tif 000004